(57)【要約】【課題】脚木の出っ張り状態をなくして見栄えの向上を図ると共に、足をぶつける危険性を回避するなどして安全性の向上を図り、さらに、脚木の高さ調節を可能として使用性を高めた引出しボックス付きのベッドを提供する。【解決手段】少なくとも、左右方向に引出し自在で、左右の一方側に設けられる引出しボックス１と、左右の他方側端部に設けられるサイドレール２と、引出しボックス１とサイドレール２との間に設けられる床板３と、引出しボックス１と床板３の上面に載置されるマットレス４と、引出しボックス１と床板３の前端面に設けられるヘッドボード５と、引出しボックス１と床板３とサイドレール２の後端面に設けられるフットボード６と、引出しボックス１とサイドレール２の後端部に着脱自在に設けられ、長さの異なる複数種の略円柱形状の脚木７と、で構成する。【選択図】      図３
0003106919.tif 000002
【実用新案登録請求の範囲】
【請求項１】
少なくとも、左右方向に引出し自在で，左右の一方側に設けられる引出しボックス（１）と、左右の他方側端部に設けられるサイドレール（２）と、前記引出しボックスとサイドレールとの間に設けられる床板（３）と、前記引出しボックスと床板の上面に載置されるマットレス（４）と、前記引出しボックスと床板の前端面に設けられるヘッドボード（５）と、前記引出しボックスと床板とサイドレールの後端面に設けられるフットボード（６）と、前記引出しボックスとサイドレールの後端部に着脱自在に設けられ，長さの異なる複数種の略円柱形状の脚木（７）と、を備えてなる引出しボックス付きベッド。
【請求項２】
少なくとも、左右方向に引出し自在で，左右の一方側に設けられる引出しボックス（１）と、左右の他方側端部に設けられるサイドレール（２）と、前記引出しボックスとサイドレールとの間に設けられる床板（３）と、前記引出しボックスと床板の上面に載置されるマットレス（４）と、前記引出しボックスと床板の前端面に設けられるヘッドボード（５）と、前記引出しボックスと床板とサイドレールの後端面に設けられるフットボード（６）と、前記引出しボックスとサイドレールの前後端部にそれぞれ着脱自在に設けられ，長さの異なる複数種の略円柱形状の脚木（７）と、を備えてなる引出しボックス付きベッド。
【考案の詳細な説明】
【技術分野】
【０００１】
本考案は、左右方向に引出し自在の引出しボックスを設けたベッドに関するものである。
【背景技術】
【０００２】
図１および図２を参照して説明する。近年、左右方向に引出し自在の引出しボックス１０を設けたベッドが多く使用されるようになっている。この引出しボックス１０には、衣類や雑貨等を収納することができるので便利である。
【考案の開示】
【考案が解決しようとする課題】
【０００３】
しかし、従来の引出しボックス１０を設けたベッドは、その脚木１２を、角柱形状として、フットボード１１の角端部にほぞ穴設置部分Ｐを設けた状態で取り付けているので、唐突な感じが必要以上に目立ち、見栄えの点において問題がある。
【０００４】
また、ベッドの近くを歩く人が、その脚木１２の角部１２ａに足をぶつけてしまい易く、安全性の点においても改善すべき余地がある。さらに、この脚木１２はフットボード１１に固定しているので、一旦取り付けてしまうと、ベッドの高さ調節を行うことができないといった問題もある。
【０００５】
本考案はこうした問題に鑑み創案されたもので、脚木のほぞ穴設置部分をなくして見栄えの向上を図ると共に、足をぶつける危険性を回避するなどして安全性の向上を図り、さらに、脚木の高さ調節を可能として使用性を高めた引出しボックス付きのベッドを提供することを課題とする。
【課題を解決するための手段】
【０００６】
請求項１の考案を図３に基づき図４を参考にして説明する。本考案に係る引出しボックス付きベッドは、  少なくとも、左右方向に引出し自在で、左右の一方側に設けられる引出しボックス１と、左右の他方側端部に設けられるサイドレール２と、前記引出しボックス１とサイドレール２との間に設けられる床板３と、前記引出しボックス１と床板３の上面に載置されるマットレス４と、前記引出しボックス１と床板３の前端面に設けられるヘッドボード５と、前記引出しボックス１と床板３とサイドレール２の後端面に設けられるフットボード６と、前記引出しボックス１とサイドレール２の後端部に着脱自在に設けられ、長さの異なる複数種の略円柱形状の脚木７と、を備えてなるものである。
【０００７】
請求項２の考案を図４に基づき図３を参考にして説明する。本考案に係る引出しボックス付きベッドは、  少なくとも、左右方向に引出し自在で、左右の一方側に設けられる引出しボックス１と、左右の他方側端部に設けられるサイドレール２と、前記引出しボックス１とサイドレール２との間に設けられる床板３と、前記引出しボックス１と床板３の上面に載置されるマットレス４と、前記引出しボックス１と床板３の前端面に設けられるヘッドボード５と、前記引出しボックス１と床板３とサイドレール２の後端面に設けられるフットボード６と、前記引出しボックス１とサイドレール２の前後端部にそれぞれ着脱自在に設けられ、長さの異なる複数種の略円柱形状の脚木７と、を備えてなるものである。
【考案の効果】
【０００８】
本考案に係る引出しボックス付きベッドは、フットボード６を、引出しボックス１と床板３とサイドレール２の後端面に設けると共に、脚木７を略円柱形状とし、引出しボックス１とサイドレール２の後端部に設けたので、当該脚木７のほぞ穴設置部分Ｐの形成を解消して、見栄えの向上を図ることができると共に安全性の向上を図ることができる。
【０００９】
すなわち、脚木７は、フットボード６ではなく、それよりやや奥まった部分に存在する引出しボックス１とサイドレール２の後端部に設けられているので出っ張らず、よって、見栄えに優れる。また、やや奥まった部分に位置するので、その周辺を歩く人が足をぶつけることがなく、安全性にも優れる。さらに、この脚木７は略円柱形状であり角部がないので、それによっても安全性に優れる。
【００１０】
またさらに、脚木７は長さの異なるものを複数種備え、かつ着脱自在としているので、ベッドの高さを自在に調節することができ、使用性にも優れる。
【考案を実施するための最良の形態】
【００１１】
本考案に係る引出し付きベッドの実施形態を、図３および図４に示す。
このベッドは、引出しボックス１、サイドレール２、床板３、マットレス４、ヘッドボード５、フットボード６および脚木７を備える。また、床板３の設置姿勢を安定させるための引っ張り棒（図示せず）を引出しボックス１とサイドレール２との間に架設してある。
【００１２】
引出しボックス１は、左方向に引出し自在の引出し１ａを四つ備える。サイドレール２は、右側端部に前後方向に沿って設けられる。床板３は、二枚で構成され、引出しボックス１とサイドレール２との間に、引出しボックス１と面一状態で設けられる。マットレス４は、引出しボックス１と床板３の上面に載置される。ヘッドボード５は、引出しボックス１と床板３の前端面にボルトやナットの締結部材によって取付けられる。
【００１３】
フットボード６は、引出しボックス１と床板３とサイドレール２の後端面に配置され、当該引出しボックス１とフットボード６の後端面にボルトやナット等の締結部材によって取付けられる。そして、脚木７は、引出しボックス１とサイドレール２の後端部に着脱自在に垂下設される。この脚木７は、長さの異なる複数種を揃えており、各脚木７は略円柱形状に設定されている（図４において、符合７ａは、短尺タイプの脚木を示す）。なお、本実施形態においては、引出しボックス１のほぼ中央部分に補助脚木（図示せず）を設けている。
【００１４】
この引出しボックス付きベッドは、脚木７を、フットボード６ではなく、それより奥まった部分に存在する引出しボックス１とサイドレール２の後端部から垂下設しているので、少なくともその上端部分がフットボード６によって隠される。従って、従来技術のような唐突な感じでほぞ穴設置部分Ｐが形成されるといった状態を回避することができ、外観の見栄えに優れる。
【００１５】
また、この脚木７はやや奥まった部分から垂下設されているので、その近くを歩く人の足が当該脚木７にぶつかるといった危険性を確実に避けることができ、安全性に優れる。さらに、この脚木７は略円柱形状に設定され、角部がないので、さらなる安全性が確保される。
【００１６】
また、この引出し付きベッドは、その脚木７を長さの異なる複数種で構成し、かつ、それらを着脱自在としているので、必要に応じて交換して、ベッドの高さを自在に調節することができる。従って、使用性にも優れる。
【００１７】
図３はヘッドボードの下端をフロアー上に置くようにしたものであるが、図４に示す如く、ヘッドボード側にも脚木を配置し、ヘッドボードの下端をフロアーに当たらないようにすることも出来る。
【図面の簡単な説明】
【００１８】
【図１】従来例に係る引出し付きベッドを示す斜視図である。
【図２】図１のＡ部拡大図である。
【図３】本考案に係る引出し付きベッドの実施形態を示す斜視図である。
【図４】本考案に係る引出し付きベッドの一部変形分解斜視図である。
【符号の説明】
【００１９】
１        引出しボックス
１ａ      引出し
２        サイドレール
３        床板
４        マットレス
５        ヘッドボード
６        フットボード
７        脚木
７ａ      脚木（短尺タイプ）
１０      引出しボックス
１１      フットボード
１２      脚木
１２ａ    角部
１３      マットレス
１４      ヘッドボード
Ｐ        ほぞ穴設置部分
【図１】
0003106919.tif 000003
【図２】
0003106919.tif 000004
【図３】
0003106919.tif 000005
【図４】
0003106919.tif 000006